(57)【要約】【課題】良好な照明環境を機能的且つフレキシブルに設計できるライン状照明器具及びその取付け構造を提供する。【解決手段】内面が鏡面１ａのパイプ１内に光源２からの光２ａを通過させ、該光２ａを鏡面１ａで反射させてパイプ１に設けた軸方向に伸びるスリット３から放出するライン状照明器具において、パイプ１にスリット３が2本以上設けられているライン状照明器具。本発明のライン状照明器具は、スリット数が２本以上のため、少ない光源で長い領域を照明できる効果に加えて、設置場所又は用途等に応じて照明をより機能的に且つフレキシブルに設計できる。横断面形状を多角形とすることにより、建物とのデザインマッチングを改善でき、また建物の天井、壁面等と面接触して取付けることで省スペース及び取付け強度の向上が図れる。【選択図】図１
2006344437.tif 000002
【特許請求の範囲】
【請求項１】
内面が鏡面のパイプ内に光源からの光を通過させ、該光を前記鏡面で反射させて前記パイプに設けた軸方向に伸びるスリットから放出するライン状照明器具において、前記パイプにスリットが2本以上設けられていることを特徴とするライン状照明器具。
【請求項２】
前記パイプの横断面形状が多角形であり、前記2本以上のスリットが前記多角形パイプの異なる面にそれぞれ設けられていることを特徴とする請求項１記載のライン状照明器具。
【請求項３】
前記パイプの横断面の中心点とスリットの中心点を結ぶ複数の線の隣り合う線のなす角度が略９０°以上であることを特徴とする請求項２記載のライン状照明器具。
【請求項４】
前記パイプの横断面形状が多角形であり、前記スリットが前記多角形パイプの角に設けられていることを特徴とする請求項１記載のライン状照明器具。
【請求項５】
前記パイプ内に防眩リングが設けられていることを特徴とする請求項１乃至４のいずれかに記載のライン状照明器具。
【発明の詳細な説明】
【技術分野】
【０００１】
本発明は、少ない光源で長い領域を照明できるライン状照明器具の改良に関する。
【背景技術】
【０００２】
従来のライン状照明器具は、内面が鏡面の円筒状パイプの一端又は両端に光源を配置し、前記光源からの光を前記鏡面で反射させてパイプ奥へ導き、パイプの軸方向に設けた１本のスリットから放出する照明器具で、少ない光源で長い領域（数ｍ〜１００ｍ程度）を照明できる照明器具である（特許文献１）。
【０００３】
近年、住環境における照明の位置づけの変化、特にオフィスビルや駅舎等、人が集まる空間において、照明がより質の高い住環境を創造するための機能的要素として見直されるようになった。その結果、ライン状照明器具に対しては、その機能的要素を最大限に生かすためのフレキシビリティ、省スペース、建物とのデザインマッチング、メンテナンス負荷の低減等が要請されており、種々の改良が提案されている（例えば、特許文献２）。
【０００４】
【特許文献１】特開平１１−２０３９１９号公報
【特許文献２】特開２００１−１５５５０４号公報
【発明の開示】
【発明が解決しようとする課題】
【０００５】
しかしながら、従来のライン状照明器具はスリットが１本（特許文献１、図２等参照）のため、良好な照明環境を機能的且つフレキシブルに設計することができなかった。
本発明は、良好な照明環境を機能的且つフレキシブルに設計できるライン状照明器具の提供を目的とする。
【課題を解決するための手段】
【０００６】
請求項１記載発明は、内面が鏡面のパイプ内に光源からの光を通過させ、該光を前記鏡面で反射させて前記パイプに設けた軸方向に伸びるスリットから放出するライン状照明器具において、前記パイプにスリットが2本以上設けられていることを特徴とするライン状照明器具である。
【０００７】
請求項２記載発明は、前記パイプの横断面形状が多角形であり、前記2本以上のスリットが前記多角形パイプの異なる面にそれぞれ設けられていることを特徴とする請求項１記載のラインである。
【０００８】
請求項３記載発明は、前記パイプの横断面の中心点とスリットの中心点を結ぶ複数の線の隣り合う線のなす角度が略９０°以上であることを特徴とする請求項２記載のライン状照明器具である。
【０００９】
請求項４記載発明は、前記パイプの横断面形状が多角形であり、前記スリットが前記多角形パイプの角に設けられていることを特徴とする請求項１記載のライン状照明器具である。
【００１０】
請求項５記載発明は、前記パイプ内に防眩リングが設けられていることを特徴とする請求項１乃至４のいずれかに記載のライン状照明器具である。
【発明の効果】
【００１１】
本発明のライン状照明器具は、スリット数が２本以上のため、少ない光源で長い領域を照明できる効果に加えて、設置場所又は用途等に応じて照明をより機能的に且つフレキシブルに設計できるという効果が得られる。本発明のライン状照明器具は、横断面形状を多角形とすることにより、建物とのデザインマッチングを改善でき、また建物の天井、壁面等と面接触して取付けることで省スペース及び取付け強度の向上が図れる。建物のコーナー部に取付けたものは取付け強度をより高めることができる。パイプ内の光源付近に防眩リングを配することにより眩しさを低減できる。
【発明を実施するための最良の形態】
【００１２】
本発明のライン状照明器具において、パイプの横断面形状は、円形、楕円形、三角形、四角形、他の多角形等任意である。パイプに設けるスリット数は２本以上であれば何本でも良い。スリットは、何も付けず空けておいても良いが、透明板を設けておくとパイプ内部が防塵されるため鏡面の反射率が高度に維持され望ましい。透明板にはアクリル樹脂、ガラス等の任意の光透過性材料が使用できる。スリットは、その開口部形状を波形に形成したり、透明板に着色透明板を用いる等任意に設計できる。
【００１３】
本発明において、パイプの横断面形状が多角形の場合、スリットは、面、角、又は面と角の両方に設けることができる。また１つの面に複数のスリットを設けても良い。
１面に１スリットずつ設けたものは広範囲を明るく照明でき望ましい。
【００１４】
前記パイプの横断面の中心点とスリットの中心点を結ぶ複数の線の隣り合う線のなす角度を略９０°以上とすると、照明効果がデザイン的に向上する。
なお、前記パイプの横断面の中心点とは、形状がパイプの横断面と同じで、厚みが均一かつ材質が均質な物体の質量中心である。
パイプの横断面の中心点とスリットの中心点を結ぶ複数の線の隣り合う線のなす角度は、スリットが各面の中央に設けられている場合では、パイプの横断面の形状が正三角形のとき１２０°、正四角形のとき９０°になる。
【００１５】
光源にはメタルハイドランプ、蛍光灯、白熱灯、ＬＥＤ等の任意の光源が使用できる。光源の配置位置は、パイプの両端、片端、中央など任意である。片端にだけ配置するときは他端に反射板を置き、中央に配置するときは両端に反射板を置くと放出光量の均一化が図れる。パイプが長い場合は、光源はパイプの両端の他、中間部分にも適宜配置する。反射板の表面は鏡面研磨又は白色塗装等が施される。
【００１６】
本発明のライン状照明器具の取付け箇所は任意であり、例えば、階段に沿って斜めに配置して足元を照らしても、階段室に縦に配置して階段室全体を照明しても良い。
【００１７】
以下に、本発明を、図を参照して具体的に説明する。
なお、本発明を説明するための全図において同一符号の繰り返しの説明は省略する。
図１は本発明のライン状照明器具の第１実施形態を示す側面説明図、図２（イ）は図１のＡ−Ａ断面図（パイプ部分の横断面図）である。
パイプ１の両端に光源２が配置され、パイプ１は内面が鏡面１ａの横断面四角形のパイプであり、その各面には軸方向に伸びるスリット３がそれぞれ１本ずつ設けられている。光源２からの光２ａは、鏡面１ａで反射しつつパイプ１内を通過し、その間に４本のスリット３からパイプ１外に放出される。なお、図１でスリットは図示を省略した。
【００１８】
このパイプ（内面が鏡面のパイプ）１は、図２（イ）に示すように、４本のＬ字状形材（パネル）４を断面四角形になるように、かつ所定間隔（スリット幅）を開けて配置し、パネル４の端部の溝４ａに透明板５を嵌め込んで組立てたものである。パネル４は曲部にＲを付ける（図２（ロ）参照）等により照明器具全体のイメージを変えることができる。パイプ１の形状は、パイプ１内又はパイプ１端部に保持部材（図示せず）を取付けて保持される。パネル４には内面となる面を鏡面研磨したアルミ又はアルミ合金形材等が用いられる。
【００１９】
図３（イ）は本発明のライン状照明器具の第２実施形態を示すパイプ部分の横断面図である。
このライン状照明器具は、パイプ１を、４本の板材（パネル）６を断面四角形になるように、かつ所定間隔を開けて配置し、パネル６の端部の溝６ａに横断面Ｌ字状の透明板７を嵌め込んで組立てたものである。
【００２０】
透明板７は２枚の透明平板７ａを連結部材７ｂで連結して形成されている。連結部材７ｂを光透過性材料で作ると放出光量が増加し望ましい。横断面Ｌ字状の透明板７は１枚の透明平板をL字状に折り曲げて形成しても、２枚の透明平板７ａを接着して形成（図３（ロ）参照）しても良く、これらを使い分けることで照明器具全体のイメージを変えることができる。
【００２１】
図４は本発明のライン状照明器具の第３実施形態を示すパイプ部分の横断面図である。
このライン状照明器具は、パイプ１を湾曲した形材（パネル）８を用いて組み立てたもので、パイプ１の横断面形状は略円形を呈する。
【００２２】
図５は、本発明のライン状照明器具の、第４実施形態を示すパイプ部分の光源側から見た軸方向透視図で、パイプ１内の光源２付近に防眩リング９を、その奥に拡散板１０を、さらにパイプ１の中央部分に反射板１２を配置した他は、図４に示したものと同じである。
【００２３】
防眩リング９は、円筒部材にパンチング穴を開けたもので、光源２付近の眩しさを低減する作用を果たす。拡散板１０は、表面に鏡面研磨又は白色塗装等を施した板材で、光源２からの光を拡散させ、スリット３からの放出光量を均一化する作用を果たす。拡散板１０を横断面十字状に組み合わせた拡散板は放出光量の均一化効果が増大する。反射板１２は、表裏両面に鏡面研磨又は白色塗装等を施した板材で、両端に配置した光源からの光を反射させ、スリット３からの放出光量を均一化する作用を果たす。
【００２４】
防眩リング及び拡散板はパイプ内面に支持部材を介して支持されるが、図６に示すように、拡散板１０をパネル６に直接接合し、拡散板１０の支持とパイプ１の形状保持（補強）を兼ねることもできる。拡散板１０とパネル６の接合には溶接、ロー付け、接着等の常法が適用できる。図７に示すように、パネル（Ｌ字状形材）４と拡散板１０を一体に形成しておくと、パイプの組立作業が容易に行える。
【００２５】
本発明において、スリットの個数の調整は、例えば、図８に示すように、横断面四角形のパイプ１の４面すべてにスリット３を設けておき、所定のスリット３を遮蔽板１３で遮蔽するか、又は、図９に示すように、隣接する２個のパネルを、スリットを有さないパネル（コの字状形材）１４に置き換えることによって容易に行える。
【００２６】
本発明のライン状照明器具の取付け構造は、例えば、図１０に示すように、横断面三角形のパイプ１の１面を建物の天井１５に接して取付けたもの、図１１に示すように、横断面四角形のパイプの隣接する２面を建物の天井１５と壁面１６からなるコーナーに接して取付けたものである。これらの取付け構造は、面接合のため、横断面円形のパイプを用いたものに較べて、省スペース及び取付け強度の向上が図れる。
【図面の簡単な説明】
【００２７】
【図１】本発明のライン状照明器具の第１実施形態を示す側面説明図である。
【図２】（イ）は図１のＡ−Ａ断面図（パイプ部分の横断面図）、（ロ）はパネルの説明図である。
【図３】（イ）は本発明照明器具の第２実施形態を示すパイプ部分の横断面図、（ロ）は透明板の説明図である。
【図４】本発明のライン状照明器具の第３実施形態を示すパイプ部分の横断面図である。
【図５】本発明のライン状照明器具の第４実施形態を示すパイプ部分の光源側から見た軸方向透視図である。
【図６】本発明のライン状照明器具の第５実施形態を示すパイプ部分の横断面図である。
【図７】本発明のライン状照明器具の第６実施形態を示すパイプ部分の横断面図である。
【図８】本発明のライン状照明器具の第７実施形態を示すパイプ部分の横断面図である。
【図９】本発明のライン状照明器具の第８実施形態を示すパイプ部分の横断面図である。
【図１０】本発明のライン状照明器具の取付け構造の１例を示す側面説明図である。
【図１１】本発明のライン状照明器具の取付け構造の他の例を示す側面説明図である。
【符号の説明】
【００２８】
１    内面が鏡面のパイプ
１ａ  鏡面
２    光源
２ａ  光源からの光
３    スリット
４    パネル（Ｌ字状形材）
４ａ  パネル端部の溝
５    透明板
６    パネル（板材）
６ａ  パネル端部の溝
７    Ｌ字状透明板
７ａ  透明平板
７ｂ  連結部材
８    パネル（湾曲形材）
８ａ  パネル端部の溝
９    防眩リング
１０  拡散板
１２  反射板
１３  遮蔽板
１４  パネル（コの字状形材）
１４ａパネル端部の溝
１５  建物の天井
１６  建物の壁
【図１】
2006344437.tif 000003
【図２】
2006344437.tif 000004
【図３】
2006344437.tif 000005
【図４】
2006344437.tif 000006
【図５】
2006344437.tif 000007
【図６】
2006344437.tif 000008
【図７】
2006344437.tif 000009
【図８】
2006344437.tif 000010
【図９】
2006344437.tif 000011
【図１０】
2006344437.tif 000012
【図１１】
2006344437.tif 000013